(57)【要約】【課題】部品点数が少なく、その管理も簡易となり、しかも物体の梱包作業も簡単かつ効率的であり、梱包した物体の運搬も容易である物体搬送用保護カバーを提供する。【解決手段】上部に開口３を有する物体収納用の袋体２と、前記袋体２の内部に収納した物体Ａの対向する２側面の外側に位置する前記袋体２の対向する緊締具取付け領域５ａ、５ｂのそれぞれに設けられた少なくとも１対の長尺な緊締索６ａ、６ｂと、前記緊締具取付け領域５ａ、５ｂに設けられている各緊締索６ａ、６ｂの各自由端部６ａｆ、６ｂｆを反対側の緊締具取付け領域５ｂ、５ａにおいて緊締する緊締索固定手段９とを有することを特徴とする。【選択図】図３
2007099335.tif 000002
【特許請求の範囲】
【請求項１】
上下部に開口を備えた筒状のカバー本体と、
前記カバー本体の内部に収納した物体の対向する２側面の外側に位置する前記カバー本体の対向する緊締具取付け領域のそれぞれに設けられた少なくとも１対の長尺な緊締索であり、一方の緊締具取付け領域に設けられた緊締索は上端部が前記緊締具取付け領域の上部に固着され、自由端部が前記カバー本体の下部の開口を経て反対側の緊締具取付け領域に到達する長さとされているとともに非緊締時に緊締索の中間部で折り返されて前記上端部の近傍に仮止め可能に形成されており、他方の緊締具取付け領域に設けられた緊締索は下端部が前記緊締具取付け領域の下部に固着され、自由端部が前記カバー本体の上部の開口を経て反対側の緊締具取付け領域に到達する長さとされているとともに非緊締時に緊締索の中間部で折り返されて前記下端部の近傍に仮止め可能に形成されている緊締索と、
前記緊締具取付け領域に設けられている各緊締索の各自由端部を反対側の緊締具取付け領域において緊締する緊締索固定手段と
を有することを特徴とする物体搬送用保護カバー。
【請求項２】
前記各緊締索は折り返し部の近傍を前記カバー本体の緊締具取付け領域に固着されていることを特徴とする請求項１に記載の物体搬送用保護カバー。
【請求項３】
前記緊締索の自由端部は、緊締索と自由端部とに設けた面ファスナによって仮止め可能に形成されていることを特徴とする請求項１または請求項２に記載の物体搬送用保護カバー。
【請求項４】
前記緊締索固定手段は、緊締具取付け領域に取付けられた緊締索が挿通自在な２個の環体であることを特徴とする請求項１から請求項３のいずれか１項に記載の物体搬送用保護カバー。
【発明の詳細な説明】
【技術分野】
【０００１】
本発明は、物体搬送用保護カバーに係り、家具等の比較的大型の物体の搬送に好適な物体搬送用保護カバーに関する。
【背景技術】
【０００２】
一般に、家具等の比較的大型の物体を搬送する場合には、家具等を保護するために家具等のコーナ部分に布団或は毛布等を当てがつてロープ等により固定していた。このような当て物をするには、作業に手数がかかり効率的でなく、物体の保護機能も不十分であった。
【０００３】
そこで、家具等の物体の上部と下部とをそれぞれ布製で箱状の保護部材によって覆うとともに、両の保護部材の間を筒状の保護部材によって物体を覆い、保護部材の外側を締着ベルトによって締めるように止着する保護カバーが提案されている（例えば、特許文献１参照）。
【０００４】
【特許文献１】実開平０６−２７６７８号公報
【発明の開示】
【発明が解決しようとする課題】
【０００５】
ところが、前記従来例においては、保護部材として上下の箱状の保護部材と筒状の保護部材の３点必要であり、部品点数が多く、その管理が煩雑であり、しかも物体の梱包作業が複雑であり、作業効率が悪いという不都合があった。
【０００６】
本発明はこれらの点に鑑みてなされたものであり、部品点数が少なく、その管理も簡易となり、しかも物体の梱包作業も簡単かつ効率的であり、梱包した物体の運搬も容易である物体搬送用保護カバーを提供することを目的とする。
【課題を解決するための手段】
【０００７】
前記目的を達成するため、本発明の物体搬送用保護カバーは、上下部に開口を備えた筒状のカバー本体と、前記カバー本体の内部に収納した物体の対向する２側面の外側に位置する前記カバー本体の対向する緊締具取付け領域のそれぞれに設けられた少なくとも１対の長尺な緊締索であり、一方の緊締具取付け領域に設けられた緊締索は上端部が前記緊締具取付け領域の上部に固着され、自由端部が前記カバー本体の下部の開口を経て反対側の緊締具取付け領域に到達する長さとされているとともに非緊締時に緊締索の中間部で折り返されて前記上端部の近傍に仮止め可能に形成されており、他方の緊締具取付け領域に設けられた緊締索は下端部が前記緊締具取付け領域の下部に固着され、自由端部が前記カバー本体の上部の開口を経て反対側の緊締具取付け領域に到達する長さとされているとともに非緊締時に緊締索の中間部で折り返されて前記下端部の近傍に仮止め可能に形成されている緊締索と、前記緊締具取付け領域に設けられている各緊締索の各自由端部を反対側の緊締具取付け領域において緊締する緊締索固定手段とを有することを特徴とする。このようにしたことにより本発明の物体搬送用保護カバーによれば、１個の袋体に全構成要素が取付けられているので部品点数が少なく、その管理も簡易となり、しかも物体の梱包作業も緊締索の自由端部を緊締索固定手段によって固定することにより行なわれるので簡単かつ効率的となあり、梱包した物体の運搬も緊締索を利用して容易に行なうことができる。
【０００８】
また、本発明の他の態様における物体搬送用保護カバーは、各緊締索が折り返し部の近傍を前記カバー本体の緊締具取付け領域に固着されていることを特徴とする。このようにしたことにより本発明の物体搬送用保護カバーによれば、緊締具取付け領域の両端部において固着されている緊締索を把持して梱包した物体を簡単に搬送することができる。
【０００９】
また、本発明の他の態様における物体搬送用保護カバーは、緊締索の自由端部が、緊締索と自由端部とに設けた面ファスナによって仮止め可能に形成されていることを特徴とする。このようにしたことにより本発明の物体搬送用保護カバーによれば、緊締索を途中で折り返して自由端部を面ファスナによって仮止めした収納状態としたり、当該自由端部を反対側の緊締具取付け領域に設けられている緊締索固定手段に固定して緊締状態とすることが簡単に可能である。
【００１０】
また、本発明の他の態様における物体搬送用保護カバーは、緊締索固定手段が、緊締具取付け領域に取付けられた緊締索が挿通自在な２個の環体であることを特徴とする。このようにしたことにより本発明の物体搬送用保護カバーによれば、緊締索の自由端部を２個の環体に挿通して簡単に緊締状態とすることができる。
【発明の効果】
【００１１】
本発明の物体搬送用保護カバーはこのように形成され作用するために、部品点数が少なく、その管理も簡易となり、しかも物体の梱包作業も簡単かつ効率的であり、梱包した物体の運搬も容易である等の優れた効果を奏する。
【発明を実施するための最良の形態】
【００１２】
以下、本発明を図１から図３について説明する。
【００１３】
図１から図３は本発明の物体搬送用保護カバーの１実施形態を示す。
【００１４】
本実施形態の物体搬送用保護カバー１は、上下部に開口３ａ、３ｂを有する物体収納用の筒状のカバー本体２を有している。このカバー本体２の素材は、可撓性を有するとともに内部に収容する家具等の物体Ａを保護できる素材であれば如何なる素材をも用いることができる。例えば、表裏の布材の間に緩衝部材ａを装填するとともにキルティング加工を施したものを利用するとよい。
【００１５】
このカバー本体２の内部に収納した物体Ａの対向する２側面（本実施形態においては、直方体状の物体Ａの対向する２側面）の外側に位置するカバー本体２の対向する緊締具取付け領域５ａ、５ｂのそれぞれに、少なくとも１対（３本以上としてもよい）の長尺な緊締索６ａ、６ｂが固着されている。
【００１６】
一方の緊締具取付け領域５ａに設けられた緊締索６ａは、上端部６ａｕが緊締具取付け領域５ａの上部に縫製７等によって固着され、自由端部６ａｆがカバー本体２の底部４を経て反対側の緊締具取付け領域５ｂに到達する長さに形成されている。緊締索６ａの緊締具取付け領域５ａの下端部の位置において縫製７されてカバー本体２に固着されている。緊締索６ａの上端部６ａｕの近傍の外面と、自由端部６ａｆの外面には互いに着脱自在とされる雌雄の面ファスナ８、８（例えば、マジックテープ（登録商標））が縫製等により固着されており、非緊締時の収容時に緊締索６ａを中間部で折り返して両面ファスナ８、８を仮止めすることにより、自由端部６ａｆを緊締索６ａの上端部６ａｕの近傍に仮止め可能に形成されている。
【００１７】
他方の緊締具取付け領域５ｂに設けられた緊締索６ｂは反対側の緊締索６ａと上下を逆にして形成されている。即ち、緊締索６ｂは、下端部６ｂｌが緊締具取付け領域５ｂの下部に縫製７等によって固着され、自由端部６ｂｆがカバー本体２の開口３を経て反対側の緊締具取付け領域５ａに到達する長さに形成されている。緊締索６ｂの緊締具取付け領域５ｂの上端部の位置において縫製７されてカバー本体２に固着されている。緊締索６ｂの下端部６ｂｌの近傍の外面と、自由端部６ｂｆの外面には互いに着脱自在とされる雌雄の面ファスナ８、８が縫製等により固着されており、非緊締時の収容時に緊締索６ｂを中間部で折り返して両面ファスナ８、８を仮止めすることにより、自由端部６ｂｆを緊締索６ｂの下端部６ｂｌの近傍に仮止め可能に形成されている。
【００１８】
緊締索６ａの上端部６ａｕの近傍および緊締索６ｂの下端部６ｂｌの近傍には、それぞれ反対側の緊締索６ａ、６ｂの自由端部６ａｆ、６ｂｆを緊締する緊締索固定手段としての２個の環体９、９が取付け紐１０によって固着されている。これらの環体９には各緊締索６ａ、６ｂが挿通自在な大きさに形成されている。
【００１９】
次に、本実施形態の物体搬送用保護カバー１の作用を説明する。
【００２０】
本実施形態においては直方体状の家具等の物体Ａを搬送する場合について説明する。
【００２１】
まず、図３に示すように一方の緊締具取付け領域５ａに固着されている緊締索６ａの自由端部６ａｆをカバー本体２の下部の開口３ｂの下方を通して他方の緊締具取付け領域５ｂに固着されている環体９にゆるく止着させた状態にして、上部の開口３ａより物体Ａを袋体２内に入れる。これにより筒状のカバー本体２が物体Ａの外形形状に沿って断面矩形の筒状になる。続いて、ゆるく止着させた状態の緊締索６ａの自由端部６ａｆを更に引いて強く止着させる。これにより物体Ａのカバー本体２内への梱包が終了される。なお、緊締索６ａの物体Ａが載せられる部分にウレタン材等の保護当て部材（図示せず）を取付けて、物体Ａの底部の保護を行なうようにしてもよい。必要に応じて、他方の緊締索６ｂの自由端部６ｂｆを物体Ａの上面を通して同様に環体９に強く止着するとよい。これにより自由状態において、カバー本体２を物体Ａの側面に沿って保持することができる。また、緊締索６ｂと物体Ａとの間に保護用の毛布等を介装させるとよい。
【００２２】
この梱包終了状態において、各緊締索６ａ、６ｂのカバー本体２の上下部に縫製７されている部分の間の非縫製部分を把持して、カバー本体２と一緒に物体Ａを搬送するとよい。
【００２３】
本実施形態においては、図１および図３に示すように、物体Ａの梱包に利用しない緊締索６ｂを中間で折り曲げて自由端部６ｂｆを面ファスナ８により仮止めすることにより、コンパクトに収容することができる。
【００２４】
また、本実施形態の物体搬送用保護カバー１を利用しない場合には、図１の仮想線に示すように、もう一方の緊締索６ａを中間で折り曲げて自由端部６ａｆを面ファスナ８により仮止めすることにより、コンパクトに収容させるようにするとよい。
【００２５】
なお、本発明は前記実施の形態に限定されるものではなく、必要に応じて変更することができる。例えば、カバー本体２の下部の開口３ｂ部分を覆う底部（図示せず）を設けて、物体Ａの底部全体を内部に収容するように形成してもよい。更に、その底部の形状を矩形以外の円形等のように物体Ａの形状に合わせるとよい。
【図面の簡単な説明】
【００２６】
【図１】本発明の物体搬送用保護カバーの１実施形態を示す側面図
【図２】図１の右側面図
【図３】本発明の物体搬送用保護カバーの１実施形態を示す斜視図
【符号の説明】
【００２７】
１  物体搬送用保護カバー
２  袋体
３  開口
４  底部
５ａ、５ｂ  緊締具取付け領域
６ａ、６ｂ  緊締索
６ａｆ、６ｂｆ  自由端部
８  面ファスナ
９  環体
【図１】
2007099335.tif 000003
【図２】
2007099335.tif 000004
【図３】
2007099335.tif 000005